(57)【要約】【課題】トラスパネル型芯材を複数連結して広い面積を有する建築材料として利用できるような連結式のトラスパネル型芯材とその組立体を提供する。【解決手段】上下パネルと中間ウエブから成るトラスパネル型芯材を、その側面を突き合わせてはめ合い可能とした連結式トラスパネル型芯材である。中間ウエブの各平坦面の少なくとも一方の側方端縁が上層パネル及び下層パネルの各側方端縁よりも内側又は外側にオフセットして凹部又は凸部を提供している。中間ウエブの前後にそれぞれ隣接して直方体ブロックが固定され、各直方体ブロックの中央付近に貫通穴が形成されている。前記凹部又は凸部が他のトラスパネル型芯材の凸部又は凹部とかみ合わされかつ前記貫通穴内に挿入される部材によって連結される。【選択図】        図１
2005146588.tif 000002
【特許請求の範囲】
【請求項１】
木製の単板・合板・各種ボード又は非木質材料製の各種ボード等から成るシート状板材を組み合わせてその側方から見た断面をトラス状に形成したトラスパネル型芯材を、その側面を突き合わせてはめ合い可能とした連結式トラスパネル型芯材であって、
シート状板材から成る上層パネルと、
シート状板材から成る下層パネルと、
前記上層パネルと前記下層パネルとのそれぞれに接着剤で貼着された鋸刃状の中間ウエブとで構成され、
前記中間ウエブは多数の短冊形のシート状板材と接着部材とで構成され、
各シート状板材はその端縁の表と裏が互い違いに斜めに切り落とされており、斜めに切り落とされたテーパ部分の尖端どうしが突き合わせられ、各テーパ部分の裏側に接着部材が貼着されており、
前記中間ウエブの各平坦面の少なくとも一方の側方端縁が前記上層パネル及び前記下層パネルの各側方端縁よりも内側又は外側にオフセットして凹部又は凸部を提供し、
前記中間ウエブの前後にそれぞれ隣接して直方体ブロックが固定され、この直方体ブロックの長さは前記中間ウエブの平坦面の長さに等しく作られ、各直方体ブロックの中央付近に貫通穴が形成されており、
前記凹部又は凸部が他のトラスパネル型芯材の凸部又は凹部とかみ合わされかつ前記貫通穴内に挿入される部材によって連結可能となっていることを特徴とする連結式トラスパネル型芯材。
【請求項２】
前記上層パネル又は下層パネルが不燃性の無機質素材パネルで形成されている請求項１記載の連結式トラスパネル型芯材。
【請求項３】
前記貫通穴の少なくとも一端に座ぐり穴が形成されている請求項１又は２記載の連結式トラスパネル型芯材。
【請求項４】
木製の単板・合板・各種ボード又は非木質材料製の各種ボード等から成るシート状板材を組み合わせてその側方から見た断面をトラス状に形成した複数のトラスパネル型芯材と、一端に雄ねじを有しかつ他端に雌ねじを有するロッドと、ナットとを備えてなる連結式トラスパネル型芯材組立体であって、
各トラスパネル型芯材は、シート状板材から成る上層パネルと、シート状板材から成る下層パネルと、前記上層パネルと前記下層パネルとのそれぞれに接着剤で貼着された鋸刃状の中間ウエブとで構成され、
前記中間ウエブの各平坦面の少なくとも一方の側方端縁が前記上層パネル及び前記下層パネルの各側方端縁よりも内側又は外側にオフセットして凹部又は凸部を提供し、他のトラスパネル型芯材の凸部又は凹部とかみ合わされてはめ合い可能になっており、
前記中間ウエブの前後にそれぞれ隣接して直方体ブロックが固定され、この直方体ブロックの長さは前記中間ウエブの平坦面の長さに等しく作られ、各直方体ブロックの中央付近に貫通穴が形成されており、
各貫通穴内に前記雄雌ねじ付きロッドが挿入されることにより複数のトラスパネル型芯材が連結されかつ前記ナットにより固定可能となっていることを特徴とする連結式トラスパネル型芯材組立体。
【発明の詳細な説明】
【技術分野】
【０００１】
本発明は、木製の単板・合板・各種ボード又は非木質材料製の各種ボード（ＭＤＦ・ＯＳＢ・パーティクルボード・ハードボード・インシュレーションボード）などを組み合わせて構成する建築材料用の芯材に関し、特に曲げ強度及び圧縮強度に優れたトラスパネル型の断面形状を有する芯材に関するものである。本発明は特に複数のトラスパネル型芯材を連結可能とする技術に関する。
【背景技術】
【０００２】
本発明者らは、先に、木製の単板や合板などを組み合わせて充分な曲げ強度と圧縮強度を有する建築材料用の芯材としてトラスパネル型芯材を提案した。
【特許文献１】特開平７−１０２６８６号（特許第３３４０５３３号）には、本発明者らによるトラスパネル型芯材とその製造方法が記載されている。
【特許文献２】従前の技術として、紙製のペーパーコアを用いた積層パネル（いわゆるフラッシュパネル用芯材）が特公昭５６−３１２５８号「複合シートによるフラッシュパネル用芯材とその製造方法」や、特開平５−５０５４０号「複合シート及びその製造方法」等に記載されている。
【発明の開示】
【発明が解決しようとする課題】
【０００３】
本発明の目的は、トラスパネル型芯材を複数連結して広い面積を有する建築材料として利用できるような連結式のトラスパネル型芯材とその組立体を提供することにある。
【課題を解決するための手段】
【０００４】
本発明は、連結式のトラスパネル型芯材を提供するものであって、芯材の主要な構造は前述した特許第３３４０５３３号に記載したものと同様である。すなわち、このトラスパネル型芯材は、シート状板材から成る上層パネルと、シート状板材から成る下層パネルと、前記上層パネルと前記下層パネルとのそれぞれに接着剤で貼着された鋸刃状の中間ウエブとで構成され、前記中間ウエブは多数の短冊形のシート状板材と接着部材（接着テープや接着剤など）とで構成され、各シート状板材はその端縁の表と裏が互い違いに斜めに切り落とされており、斜めに切り落とされたテーパ部分の尖端どうしが突き合わせられ、各テーパ部分の裏側に接着部材が貼着されている。
【０００５】
本発明で追加された構成として、中間ウエブの各平坦面の少なくとも一方の側方端縁が上層パネル及び下層パネルの各側方端縁よりも内側又は外側にオフセットして凹部又は凸部を提供し、中間ウエブの前後にそれぞれ隣接して直方体ブロックが固定され、この直方体ブロックの長さは前記中間ウエブの平坦面の長さに等しく作られ、各直方体ブロックの中央付近に貫通穴が形成されている。かくして、前記凹部又は凸部が他のトラスパネル型芯材の凸部又は凹部とかみ合わされかつ前記貫通穴内に挿入される部材によって連結可能となっている。
【発明の効果】
【０００６】
すなわち、本発明により、中間ウエブの凹部又は凸部を他のトラスパネル型芯材の中間ウエブの凸部又は凹部とはめ合わせ、貫通穴内にねじ付きロッドなどの部材を挿入してナットで締め付ければ、複数のトラスパネル型芯材を連結することができ、３個以上のトラスパネル型芯材を連続して並べていくことも可能になる。かくして、広い面積を有する建築材料、例えば壁面の内部コア、床材、屋根材などに利用できる。
【０００７】
前述した特許にも記載したように、トラスパネル型芯材では、木製の上層パネルと下層パネルとが堅固な中間ウエブを介して接着固定されているので、曲げ強度及び圧縮強度において従来のフラッシュパネルやハニカムコアよりもはるかに優れた芯材となる。また、トラスパネル型芯材は、横断方向に貫通空間を有するので、建築材料として使用する場合に配管や配線を通したり、工具や物品を収納したりすることができる点で有利である。加えて、この横断方向の貫通空間は断熱層として作用し、下層パネルから上層パネルへの熱の伝達は中間にある略２層の断熱空間を通過しなければならないため、断熱効果が高められている。中間ウエブを構成するシート状板材は、端縁が斜めに切り落とされているので、上下のパネルとの間の接着面積が大きくなって、芯材全体の剛性が高められている。また、紙製の芯材に比べて耐久性に優れており、建築材料として長期間の使用に耐えることができる。
【発明を実施するための最良の形態】
【０００８】
本発明はその好適な態様として、上層パネル又は下層パネルの少なくとも一方を不燃性の無機質素材パネル、例えば大建工業株式会社製の商品名「ダイライト」などで形成すれば、火災に耐えることができ、建築材料としての用途が拡大する。
【０００９】
本発明はその好適な態様として、貫通穴の端部に座ぐり穴を形成しておけば、タップドブロック（内部に雌ねじが切られた部材）やナットの部分を座ぐり穴の内部に収めることができて、トラスパネル型芯材から金属が外側に突出する状態をなくすことができると同時に外観を美しく保つことができる。
【００１０】
本発明はさらに好適な態様として、複数のトラスパネル型芯材と、一端に雄ねじを有しかつ他端に雌ねじを有するロッドと、ナットとを備えてなる連結式トラスパネル型芯材組立体を提供する。各トラスパネル型芯材は前述した構成であり、中間ウエブの各平坦面の少なくとも一方の側方端縁が前記上層パネル及び前記下層パネルの各側方端縁よりも内側又は外側にオフセットして凹部又は凸部を提供し、他のトラスパネル型芯材の凸部又は凹部とかみ合わされてはめ合い可能になっている。中間ウエブの前後にそれぞれ隣接して直方体ブロックが固定され、この直方体ブロックの長さは前記中間ウエブの平坦面の長さに等しく作られ、各直方体ブロックの中央付近に貫通穴が形成されている。各貫通穴内に前記雄雌ねじ付きロッドが挿入されることにより複数のトラスパネル型芯材が連結されかつ前記ナットにより固定可能となっている。かくして、複数のトラスパネル型芯材を連結した組立体が提供されることになる。
以下、添付図面の実施例を参照しながら、本発明についてさらに詳述する。
【実施例１】
【００１１】
図１，図２は、本発明の好適な実施例による連結式トラスパネル型芯材を表しており、図１はトラスパネル型芯材の単体、図２は２個のトラスパネル型芯材を連結する状態を表している。比較的大きな幅の芯材１０は、木製の単板又は合板から成るシート状板材が組み合わせられ、その側方から見た断面がトラス状に形成されている。芯材１０は、単一のシート状板材から成る上層パネル１２と、単一のシート状板材から成る下層パネル１４と、上層パネル１２と下層パネル１４とのそれぞれに接着剤で貼着された鋸刃状の中間ウエブ１６と、中間ウエブ１６の折り曲げ方向の前後にそれぞれ隣接する直方体ブロック１８，１９とで構成されている。
【００１２】
直方体ブロック１８，１９の長さは中間ウエブ１６の平坦面１６Ｓの長さに等しく作られ、各直方体ブロックの中央付近に貫通穴１５が形成されている。貫通穴１５の一端には座ぐり穴１５Ａが形成されている。
【００１３】
本発明の特徴に基づき、中間ウエブ１６の各平坦面１６Ｓの一方の側方端縁１６Ｅが上層パネル１２及び下層パネル１４の各側方端縁よりも内側にオフセットして凹部６０を提供している。直方体ブロック１８，１９の長さは中間ウエブ１６の平坦面１６Ｓの長さに等しく作られているので、直方体ブロック１８，１９の右側も同様に凹部６０を提供している。
【００１４】
一方、中間ウエブ１６の各平坦面１６Ｓの他方（反対側）の側方端縁は上層パネル１２及び下層パネル１４の各側方端縁よりも外側にオフセットして凸部６２を提供している。直方体ブロック１８，１９の長さは中間ウエブ１６の平坦面１６Ｓの長さに等しく作られているので、直方体ブロック１８，１９の左側も同様に凸部６２を提供している。
【００１５】
図２に示すように、２個のトラスパネル型芯材７１，７２を連結して固定するには、雄雌ねじ付きのロッド１７を利用する。ロッド１７は、全長にわたって雄ねじが切られた市販のねじ棒の一端に、雌ねじを内部に有する六角形断面の高ナット（タップドブロック）１７Ａを溶接・ろう付け・圧接などで固定したもので、雄ねじと雌ねじは同一サイズのねじを有し、ナット１７Ｂで締め付けることができるようになっている。
【００１６】
本発明に基づき、２個のトラスパネル型芯材７１，７２はその凹部６０と凸部６２とがはめあい可能になっており、ねじ付きロッド１７を挿入した状態で両者の凹凸部をはめ合わせ、ねじ付きロッド１７の雄ねじ部分を高ナット１７Ａの雌ねじ部分にかみ合わせて締め付け、さらにナット１７Ｂを締め付ければ、２個のトラスパネル型芯材が連結されて堅固に固定される。
【００１７】
図から明らかなように、トラスパネル型芯材７１や７２にさらに隣接して他のトラスパネル型芯材を連結して固定することも可能であり、本発明によればきわめて自由度の高いトラスパネル型芯材が提供されることを理解されたい。なお、ねじ付きロッド１７を２倍の長さで製作し、２個のトラスパネル型芯材を１個のねじ付きロッドで連結することも可能である。
【００１８】
本発明に基づくトラスパネル型芯材は図１，図２に示したように一方に凹部、他方に凸部を有するタイプを基本とするが、連結時の外観や製造上の理由から、他のタイプを利用することもできる。図３Ａ〜Ｅはそれらの変形されたタイプを表しており、Ａは前述したように凹部と凸部を有する基本タイプ、Ｂは凹部と平坦部を有するタイプ、Ｃは凹部と凹部を有するタイプ、Ｄは凸部と平坦部を有するタイプ、Ｅは凸部と凸部を有するタイプである。本発明によるトラスパネル型芯材はこれら全てのタイプを包含するものであることを理解されたい。
【００１９】
図４〜図７はトラスパネル型芯材の詳細な構造と製造方法を表している。これらの図は前述した特許第３３４０５３３号に記載したものと同様である。図４，図５に示すように、中間ウエブ１６は多数の短冊形のシート状板材２１〜２４・・・と接着テープや接着剤などの接着部材とで構成されている。各シート状板材２１〜２４・・・はその端縁の表と裏が互い違いに斜めに切り落とされており、斜めに切り落とされたテーパ部分の尖端どうしが突き合わせられ、各テーパ部分の裏側に接着テープ３１〜３４が貼着されている。中間ウエブ１６の両端縁１６Ａ，１６Ｂは接着テープを使わずに直接パネル１４に接着されている。
【００２０】
製造工程では、まず、図５Ａに示すように、長手方向に延伸するシート状板材１６を用意する。次に、このシート状板材１６の表側と裏側にそれぞれ所定の間隔で接着テープ３１〜３５を互い違いに横断方向に貼着する。
【００２１】
次に、図５Ｂに示すように、各接着テープのほぼ中央部分の裏側を接着テープの厚みだけを残してカッターで断面Ｖ字形に切断し、これにより互い違いに横断方向に延伸するＶ字形の溝４１〜４５を有する中間ウエブ１６を形成する。このとき、シート状板材１６の端縁１６Ａも同じ角度で斜めに切り落とす。
【００２２】
次に、図５Ｃ乃至図６に示すように、中間ウエブ１６をＶ字形溝４１〜４５の位置で接着テープの側に折り曲げて鋸刃状に屈曲させながら単一のシート状板材から成る下層パネル１４の上に載置し、略水平部分５０の位置を溶融状態の接着剤で仮付け固定する。続いて、この鋸刃状の中間ウエブ１６の上に単一のシート状板材から成る上層パネル１２を載置し、略水平部分５０の位置を溶融状態の接着剤で仮付け固定する。
【００２３】
次に、図７に示すように、上層パネル１２と下層パネル１４との間、及び中間ウエブ１６の側方から、ストッパ５２，５４及び適当な工具等を用いて圧力を加え、所定のトラス形状が形成されるように調整する。ストッパ５２，５４を外して、図１，図２に示す直方体ブロック１８，１９を取付け、接着剤で固定する。最後に、接着剤を自然放置又は加熱することにより各接着部分を本格的に固定すれば、トラスパネル型芯材１０の単体が完成する。
【００２４】
本発明による連結式トラスパネル型芯材は、必要に応じて、側面にカバーを取り付けたり、補強部材や化粧材を貼り付けたりすることも可能である。
【産業上の利用可能性】
【００２５】
以上詳細に説明した如く、本発明によれば木製の単板・合板・各種ボードや非木質材料製のボードなどを組み合わせた充分な曲げ強度と圧縮強度を有する建築材料用の芯材が提供され、建築物の軽量化に寄与することができる。また、本発明によれば、複数個を連結することにより広い面積を有する建築材料が高い自由度を有しながら得られる。単体の寸法は小さいので輸送に便利であり、現場で複数個を連結することができる等、その技術的効果には極めて顕著なものがある。
【図面の簡単な説明】
【００２６】
【図１】本発明による連結式トラスパネル型芯材の単体の斜視図
【図２】本発明によるトラスパネル型芯材の連結状態を表わす側面図
【図３】本発明によるトラスパネル型芯材の凹凸タイプを表わす側面図
【図４】本発明によるトラスパネル型芯材の製造工程を表わす一部破断斜視図
【図５】本発明によるトラスパネル型芯材の製造工程を表わす概略図
【図６】本発明によるトラスパネル型芯材の製造工程を表わす概略断面図
【図７】本発明によるトラスパネル型芯材の製造工程を表わす概略斜視図
【符号の説明】
【００２７】
１０  トラスパネル型芯材、    １２  上層パネル、      １４  下層パネル、
１５  貫通穴、                １５Ａ  座ぐり穴、      １６  中間ウエブ、
１６Ｓ  平坦面、              １６Ｅ  側方端縁、      １７  ねじ付きロッド、
１８，１９  直方体ブロック、  ２１〜２４  シート状板材、
３１〜３５  接着テープ、      ６０  凹部、            ６２  凸部
【図１】
2005146588.tif 000003
【図２】
2005146588.tif 000004
【図３】
2005146588.tif 000005
【図４】
2005146588.tif 000006
【図５】
2005146588.tif 000007
【図６】
2005146588.tif 000008
【図７】
2005146588.tif 000009